(57)【特許請求の範囲】
【請求項１】
対向する一対の端面の少なくとも一方から該端面に垂直な第１の方向に入射した光を出射面から出射する導光板と、上記導光板に光を入射する複数の光源とを備え、上記導光板における光の出射面とは反対側の面に該導光板の内部にて導光される光を取り出すための複数の光路変換部が設けられた光源モジュールにおいて、
上記導光板の出射面には、上記第１の方向に沿った複数の筋状の凹凸形状が形成されているとともに、上記光路変換部は、上記第１の方向に沿った複数の第１の列を成して配列されており、
上記出射面と反対側の面における第１の方向と垂直な方向を第２の方向としたとき、
隣接する第１の列において、光路変換部の端部間の上記第２の方向における距離ｄｘ’は、上記凹凸形状のピッチＷよりも小さく、かつ、光路変換部の中心間の上記第２の方向における距離Ｐｘ’は、上記凹凸形状のピッチＷよりも大きいことを特徴とする光源モジュール。
【請求項２】
隣接する第１の列において、上記距離ｄｘ’は、第１の方向に互いに対向する光路変換部における端部間の距離ｄｙよりも小さいことを特徴とする請求項１に記載の光源モジュール。
【請求項３】
隣接する第１の列において、一方の第１の列に属する光路変換部から第２の方向へ向かう他方の第１の列の位置に、光路変換部が存在しないことを特徴とする請求項１または２に記載の光源モジュール。
【請求項４】
上記光路変換部は、上記第１の方向に沿った複数の第１の列を成して配列するとともに、上記第２の方向に沿った複数の第２の列を成して配列することを特徴とする請求項１〜３の何れか１項に記載の光源モジュール。
【請求項５】
上記距離ｄｘ’は、隣接する第２の列における光路変換部の端部間の上記第１の方向の距離ｄｙ’よりも小さいことを特徴とする請求項４に記載の光源モジュール。
【請求項６】
上記光路変換部は、千鳥配置で設けられていることを特徴とする請求項１〜５の何れか１項に記載の光源モジュール。
【請求項７】
請求項１〜６の何れか１項に記載の光源モジュールを備えた液晶表示装置。
【発明の詳細な説明】
【技術分野】
【０００１】
本発明は、光源モジュール、およびそれを備えた液晶表示装置に関し、より具体的には、例えば液晶表示装置において、薄型化を図るために、光源からの光を導光板によって面状に出射させるサイドエッジ（サイドライトともいう）型導光板を備えたバックライトに用いられる光源モジュール、およびそれを備えた液晶表示装置に関する。
【背景技術】
【０００２】
近年、液晶表示装置においては、薄型化を図るために、光源からの光を導光板によって面状に出射させるサイドエッジ型導光板を備えたバックライトが多用されている。
【０００３】
例えば特許文献１には、導光板における光の出射面に、長手方向に稜線を有する曲面で構成された曲面構造部が複数形成された光源モジュールが開示されている。そして、特許文献１の光源モジュールでは、導光板における光の出射面と反対側の面に、導光板内部にて導光される光を取り出すための光路変換部が形成されている。この光路変換部は、マイクロレンズまたは拡散ドットであり、その間隔が曲面構造部の稜線の間隔よりも小さくなっている。これにより、光の直進方向と垂直な方向（短手方向）への光の広がりを抑えている。
【０００４】
また、特許文献２には、導光板の光出射面が凹凸からなる曲面形状（第１パターン）になっている光源モジュールが開示されている。そして、導光板における光出射面と反対側の面に光拡散パターン（第２パターン）が形成されている。この光取出しパターンは、千鳥配置のパターンになっている。
【０００５】
また、特許文献３の液晶表示装置の技術は、拡散シートに凸形状を形成し、輝度ムラを消す技術である。
【０００６】
また、特許文献４には、液晶表示パネルの画素ピッチに対し、バックライトモジュールのプリズムシートを構成する三角形状のプリズム素子を傾けることによって、輝度を落とさずにモアレの発生を防止する技術が開示されている。
【先行技術文献】
【特許文献】
【０００７】
【特許文献１】特開２０１１−２３３５０８号公報（２０１１年１１月１７日公開）
【特許文献２】特開２０１１−１３８７６３号公報（２０１１年  ７月１４日公開）
【特許文献３】特開２０１１−１９７０３１号公報（２０１１年１０月  ６日公開）
【特許文献４】特開２００８−３２８４１号公報（２００８年  ２月１４日公開）
【発明の概要】
【発明が解決しようとする課題】
【０００８】
しかしながら、特許文献１の技術には、以下の課題が残されている。
【０００９】
曲面構造部を有する導光板（凹凸形状導光板）を備えた特許文献１の光源モジュールでは、光の直進方向と垂直な方向（短手方向）への光の広がりを抑えることができる。それゆえ、短手方向の広がりが抑えられるので、導光板内部を導光する光は、長手方向（光源からの光が入射する入射端面から該入射端面と反対側の端面へ向かう方向）への指向性が高くなる。その一方で、輝度ムラについては考慮されていない。
【００１０】
特許文献１の技術において、例えば光路変換部がマイクロレンズである場合、「光路変換部の間隔」は、「マイクロレンズのピッチ」として設定されている。それゆえ、特許文献１の技術では、「光路変換部の間隔」は、「光路変換部のピッチ（中心間の距離）」として設定される。すなわち、特許文献１の技術では、「光路変換部のピッチ（中心間の距離）」を「曲面構造部の稜線の間隔（曲面構造部のピッチ）」よりも小さくしている。しかし、上記のように「光路変換部のピッチ」を「曲面構造部の稜線の間隔」よりも小さくする目的は、光の直進方向と垂直な方向（短手方向）への光の広がりを抑制することにあり、輝度むらの低減を目的とするものではない。光路変換部が拡散ドットである場合、導光板の出射面の光出射量を適切にするためには、「曲面構造部のピッチ」及び「光路変換部のピッチ」の関係だけではなく、単位面積当たりの光路変換部の密度（占有率）を適切にする必要がある。すなわち、「光路変換部のピッチ」を小さくすると同時に、単位面積当たりの光路変換部の密度を大きくするには、拡散ドットを小さくすると同時に拡散ドットの距離を小さくするように、拡散ドットを微細化する必要がある。しかし、実際には拡散ドットを製造するうえで拡散ドットの微細化には限界があるため、「光路変換部のピッチ」を「曲面構造部の稜線の間隔」よりも小さくすることは困難である。よって、特許文献１の技術では、輝度ムラの低減を考慮しておらず、かつ「光路変換部のピッチ」を「曲面構造部の稜線の間隔」よりも小さくすることは困難であるため、輝度ムラが発生するという課題が残されているといえる。
【００１１】
また、特許文献２の技術では、導光板を曲面形状（第１パターン）とし、かつ曲面形状に対し平行方向の拡散ドットの中心間距離を狭くした構成である。この構成によれば、曲面形状のレンズ効果によって、曲面形状に対し垂直方向の、見かけ上の光拡散パターンの幅が大きくなる。このため、曲面形状に対し垂直方向の拡散ドットの間隔に起因する輝度むらを視認しにくくしている。しかしながら、特許文献２の技術では、曲面形状を有する導光板を導光する光の強い指向性に起因して、光拡散パターンによる拡散光も強い指向性を有する点について、考慮されていない。すなわち、導光板内部を導光する光は、曲面形状に沿った方向に指向性を有している。特に、曲面形状が形成されていることによって、導光板内部を導光する光の指向性は、平板導光板における指向性と比較して高くなっている。また、拡散光は、入射光の強い指向性を反映して、入射方向（入射端面から当該入射端面と反対側の端面へ向かう方向）に広い広がり角度で拡散する一方、入射方向と垂直な方向での広がり角度が非常に小さくなる。これによって、特許文献２の技術においては、実際の輝度ムラは、入射方向に垂直な方向に強く表れる。それゆえ、特許文献２の技術では、導光板の曲面形状によって、入射方向に垂直な方向に輝度ムラが発生するという問題がある。
【００１２】
本発明は、上記従来技術の課題及び問題に鑑みてなされたものであって、その目的は、導光板の出射面における輝度ムラを低減し得る光源モジュール、およびそれを備えた液晶表示装置を提供することにある。
【課題を解決するための手段】
【００１３】
本願発明者らは、光路変換部の設定について鋭意検討した結果、凹凸形状のピッチ及び光路変換部のピッチに加え、光路変換部の端部間の間隔を設定することによって有意に導光板の出射面における輝度ムラを低減し得ることを見出し、本発明に至った。
【００１４】
本発明の光源モジュールは、上記の課題を解決するために、対向する一対の端面の少なくとも一方から該端面に垂直な第１の方向に入射した光を出射面から出射する導光板と、上記導光板に光を入射する複数の光源とを備え、上記導光板における光の出射面とは反対側の面に該導光板の内部にて導光される光を取り出すための複数の光路変換部が設けられた光源モジュールにおいて、上記導光板の出射面には、上記第１の方向に沿った複数の筋状の凹凸形状が形成されているとともに、上記光路変換部は、上記第１の方向に沿った複
数の第１の列を成して配列されており、上記出射面と反対側の面における第１の方向と垂直な方向を第２の方向としたとき、隣接する第１の列において、光路変換部の端部間の上記第２の方向における距離ｄｘ’は、上記凹凸形状のピッチＷよりも小さく、かつ、光路変換部の中心間の上記第２の方向における距離Ｐｘ’は、上記凹凸形状のピッチＷよりも大きいことを特徴としている。
【００１５】
上記の構成によれば、隣接する第１の列において、光路変換部の端部間の上記第２の方向における距離ｄｘ’は、上記凹凸形状のピッチＷよりも小さく、かつ、光路変換部の中心間の上記第２の方向における距離Ｐｘ’は、上記凹凸形状のピッチＷよりも大きいので、各凹凸形状の直下に必ず光路変換部の少なくとも一部が存在する状態になる。すなわち、上記の構成によれば、凹凸形状と光路変換部の第１の列の直下に光路変換部が存在しないことにより極端な暗部となる第１の列が存在しない。それゆえ、上記の構成によれば、凹凸形状間において出射光の強度分布を均一化することができ、凹凸形状の形状に起因する輝度ムラを低減することができる。
【００１６】
以上のように、上記の構成によれば、導光板の出射面における輝度ムラを低減し得る光源モジュールを実現することができる。
【００１７】
本発明の光源モジュールでは、隣接する第１の列において、上記距離ｄｘ’は、第１の方向に互いに対向する光路変換部における端部間の距離ｄｙよりも小さいことが好ましい。
【００１８】
光路変換部のサイズは製造上の問題よりある程度のサイズよりも小さくすることは困難である。よって、光路変換部のサイズを小さくせずに、配置方法を最適化することが重要である。本発明の光源モジュールにおいては、輝度ムラを低減するためにｄｘ’はＷよりも小さくする必要があるが、各光路変換部のサイズやｄｙを変えることなくｄｘ’を小さくすると、単位面積当たりの光路変換部の占有率が大きくなる。すなわち、光の取り出し効率が高くなることとなる。しかし、光取り出し率は光源モジュールの要求輝度に対応した値であり、光取り出し率が変化することは、実際の輝度が要求輝度からずれるため好ましくない。たとえば、サイドエッジ型の光源モジュールにおいては、光源入光端面近傍では導光板中を導光する光の量が大きいため、導光板中を導光する光の量が小さい光源入光端面の対面の端面近傍の輝度が入光端面近傍の輝度と略同一となるようにするためには、入光端面近傍では光取り出し効率を低くすることが求められる。よって、ｄｘ’が小さくなることで取り出し効率が高くなると入光端面近傍で輝度が要求輝度よりも高くなるため、輝度分布の最適化することができなくなる。しかし、ｄｙをｄｘ’よりも大きい配置とすることで、光路変換部の占有率をより小さくすることが可能となり、特に課題となる入光端面近傍での光取り出し効率を小さくすることが可能となり輝度分布の最適化を図ることが可能となる。また、ｄｙは輝度ムラ発生に大して影響がないために新たなムラ発生を引き起こすことなく、輝度ムラ改善と輝度分布最適化の両立を行うことが可能となる。
【００１９】
本発明の光源モジュールでは、隣接する第１の列において、一方の第１の列に属する光路変換部から第２の方向へ向かう他方の第１の列の位置に、光路変換部が存在しないことが好ましい。
【００２０】
上記の構成によれば、隣接する第１の列において、一方の第１の列に属する光路変換部から第２の方向へ向かう他方の第１の列の位置に、光路変換部が存在しないので、上記距離ｄｘ’を小さくした場合に光路変換部どうしが第２の方向に接触することを防止することができる。その結果、上記の構成によれば、上記距離ｄｘ’の調整範囲が広くなり、光路変換部の単位面積当たりの占有率をより広い範囲で調整することができる。つまり、輝度ムラに影響せずに光路変換部の占有率を調整し光取り出し効率を最適化することが可能
になる。
【００２１】
さらに、本発明の光源モジュールでは、上記光路変換部は、上記第１の方向に沿った複数の第１の列を成して配列するとともに、上記第２の方向に沿った複数の第２の列を成して配列することが好ましい。
【００２２】
上記の構成によれば、光路変換部は、互いに垂直な第１の列及び第２の列に属することになる。それゆえ、上記光路変換部が拡散ドットである場合、上記の構成によれば、光路変換部の単位面積当たりの占有率をより広い範囲で調整することができるとともに、拡散材を含有したインクの印刷が容易になる。また、輝度ムラに影響せずに光路変換部の占有率を調整し光取り出し効率を最適化することが可能になる。
【００２３】
特に、本発明の光源モジュールでは、上記光路変換部は、千鳥配置で設けられていることが好ましい。これにより、光路変換部は、第１の方向及び第２の方向で周期的な配置になる。それゆえ、上記の構成によれば、光路変換部の単位面積当たりの占有率をより広い範囲で調整しつつ、拡散材を含有したインクの印刷がさらに容易になる。また、輝度ムラに影響せずに光路変換部の占有率を調整し光取り出し効率を最適化することが可能になる。
【００２４】
特に、上記距離ｄｘ’は、隣接する第２の列における光路変換部の端部間の上記第１の方向の距離ｄｙ’よりも小さい場合、光路変換部の第２の方向の寸法に依存することなく、上記距離ｄｘを調整することができる。
【００２５】
本発明の液晶表示装置は、上記の課題を解決するために、上述の光源モジュールを備えたことを特徴としている。
【００２６】
これにより、導光板の出射面における輝度ムラを低減し得る液晶表示装置を実現することができる。
【発明の効果】
【００２７】
本発明の光源モジュールは、以上のように、上記導光板の出射面には、上記第１の方向に沿った複数の筋状の凹凸形状が形成されているとともに、上記光路変換部は、上記第１の方向に沿った複数の第１の列を成して配列されており、上記出射面と反対側の面における第１の方向と垂直な方向を第２の方向としたとき、隣接する第１の列において、光路変換部の端部間の上記第２の方向における距離ｄｘ’は、上記凹凸形状のピッチＷよりも小さく、かつ、光路変換部の中心間の上記第２の方向における距離Ｐｘ’は、上記凹凸形状のピッチＷよりも大きい構成である。
【００２８】
また、本発明の液晶表示装置は、以上のように、上記光源モジュールを備えた構成である。
【００２９】
それゆえ、導光板の出射面における輝度ムラを低減することが可能になる。
【図面の簡単な説明】
【００３０】
【図１】本発明の光源モジュールにおける光路変換部の配置の実施の一形態を示す模式図である。
【図２】上記光源モジュールを備えた液晶表示装置の構成を示す分解斜視図である。
【図３】上記光源モジュールを備えた液晶表示装置の構成を示す要部断面図である。
【図４】上記光源モジュールの構成を一部破断して示す要部斜視図である。
【図５】上記光源モジュールにおける出射面に形成された凹凸形状体からの出射光を示す断面図である。
【図６】（ａ）〜（ｄ）は、上記光源モジュールにおける出射面に形成された凹凸形状体の各種の形状を示す断面図である。
【図７】（ａ）は、プリズムシートの一種であるレンズシートと、平板型導光板とを備えた光源モジュールにおける光の散乱を模式的に示した模式図であり、（ｂ）は、複数の筋状の凹凸形状体を有する導光板内部での光の散乱を模式的に示した模式図である。
【図８】（ａ）は、光路変換部における「ドット間の間隔ｄｘ’」が凹凸形状体のピッチよりも大きい場合の、出射光の輝度分布を模式的に示した模式図であり、（ｂ）は、光路変換部における「ドット間の間隔ｄｘ’」が凹凸形状体のピッチよりも小さい場合の、出射光の輝度分布を模式的に示した模式図である。
【図９】「ドットピッチＰｘ’」＝「ドットピッチＰｙ」である場合の、光路変換部の配置を示す上面図である。
【図１０】本発明の光源モジュールにおける光路変換部の形状の一例を示す上面図である。
【図１１】本発明の光源モジュールにおける光路変換部の形状の他の例を示す上面図である。
【発明を実施するための形態】
【００３１】
（液晶表示装置の構成）
最初に、本実施の形態の光源モジュールを備えた液晶表示装置の全体構成について、図２及び図３に基づいて説明する。図２は、本実施の形態の光源モジュールを備えた液晶表示装置の構成を示す分解斜視図である。また、図３は液晶表示装置の構成を示す要部断面図である。
【００３２】
本実施の形態の光源モジュール１０を備えた電子機器としての例えば液晶表示装置１は、図２に示すように、後ろから順に、シャーシ２、光源モジュール１０、液晶パネル３、ベゼル４にて構成されており、光源モジュール１０は、反射板としての反射シート１１、導光板２０、下拡散シート１７及び上拡散シート１８を備えている。
【００３３】
上記光源モジュール１０の導光板２０における一対の端面２０ａ・２０ａにおける少なくとも一方の端面２０ａの側方には、図３に示すように、光源としてのＬＥＤ１２、ＬＥＤ基板１３、及びリフレクタ１４を備えた光源ユニット１５が設けられている。また、導光板２０における光の出射面２０ｂとは反対側の面としての下面２０ｃには、該導光板２０の内部にて導光される光を取り出すための複数の光路変換部１６が設けられている。この光路変換部１６は、拡散材を含有したインクの印刷による散乱体からなっている。製造コストの観点からはスクリーン印刷により光路変換部１６を製造することが望ましいが、スクリーン印刷を用いた場合は製造上光路変換部１６のサイズを小さくすること、すなわち光路変換部１６の微細化が特に困難であるという問題がある。なお、この光路変換部１６は、例えば、マイクロレンズからなっていてもよく、また、切削やレーザー加工による凹プリズム形状もしくは凹ドット形状であってもよい。
【００３４】
これによって、ＬＥＤ１２からの光を導光板２０における一方の端面２０ａに入射させ、該光が導光板２０の内部を全反射しながら導光し、導光板２０の下面２０ｃに設けられた複数の光路変換部１６によって全反射条件が崩れて、導光板２０の出射面２０ｂから下拡散シート１７及び上拡散シート１８を通して液晶パネル３に光を照射するようになっている。
【００３５】
したがって、本実施の形態の光源モジュール１０は、サイドエッジ（サイドライトともいう）方式を採用している。尚、導光板２０からは出射面２０ｂ以外からの面からも光は出射するが、導光板２０の出射面２０ｂ及びＬＥＤ１２が配置される面以外の面には反射
シート１１が配置され、再度導光板２０に入射するようになっているため、殆どの光は出射面２０ｂから出射される。尚、ここでは、光源ユニット１５は、導光板２０における例えば、長手方向に沿う一対の端面２０ａの一方のみに設けられている。ただし、必ずしもこれに限らず、光源ユニット１５は、導光板２０における長手方向に沿う一対の端面２０ａの両方に設けられていてもよい。また、光源ユニット１５は、導光板２０における短手方向に沿う一対の端面２０ａの少なくとも一方に設けられていてもよい。ここでは、導光板２０の長手方向をＸ方向とし、短手方向をＹ方向とする。また、Ｘ方向及びＹ方向の両方に垂直な方向をＺ方向とする。このＺ方向は、導光板２０の法線方向であるといえる。また、導光板２０において、ＬＥＤ１２からの光が入射する端面２０ａから、その端面と反対側の端面２０ａへ向かう方向を「導光方向」とする。光源モジュール１０では、導光板２０の長手方向に沿う端面２０ａに設けられているので、「導光方向」は短手方向（Ｙ方向）となる。
【００３６】
（光源モジュールの構成）
ここで、本実施の形態の光源モジュール１０における導光板２０は、出射面２０ｂの形状が、図４に示すように、光源ユニット１５における複数の上記ＬＥＤ１２の光が入射する端面２０ａに垂直な方向に沿った複数の筋状の凹凸形状体Ｔとなっている。具体的には、複数の筋状の凹凸形状体Ｔは、断面円弧状の曲面にて構成された曲面構造体が複数並んで構成されている。この凹凸形状体Ｔ…は、例えば、導光板２０の短手方向に沿って筋状のパターンとして形成されている。すなわち、導光板２０は、光の出射面２０ｂに、短手方向に平行に稜線を有する曲面で構成された凹凸形状体Ｔを複数有している。この凹凸形状体Ｔは、導光板２０の出射面２０ｂ自体に形成された構造体であり、導光板２０に該導光板２０とは別の部材として設けられたものではない。
【００３７】
凹凸形状体Ｔは、特に大型液晶表示装置向けの大型の導光板においては、製造コストの観点から押し出し形成で製造することが望ましい。しかし、押し出し成形を用いて製造した場合は凹凸形状の微細化が困難であることから、導光板と別部材であるレンズシートの凹凸形状と比較して、凹凸形状体Ｔが大きくなる。凹凸形状体Ｔが大きくなり、凹凸形状体ＴのピッチＷが大きくなれば輝度ムラが発生するという問題があるので、凹凸形状体ＴのピッチＷは光路変換部１６のピッチと同程度のスケールの大きさとなる。
【００３８】
上記複数の筋状の凹凸形状体Ｔ…を有する出射面２０ｂを備えた導光板２０においては、図５に示すように、光路変換部１６にて散乱された光は、凹凸形状体Ｔによって、出射光が凹凸形状体Ｔの中央側に屈折する。このため、凹凸形状体Ｔにより側方への光の拡がりを抑えることができ、出射光の直進性を向上させることができるとともに、凹凸形状は出射光にとって集光効果をもつ構造となるために、導光板の出射面に対して垂直方向の光線を平板導光板に対して増大させることが可能になる。
【００３９】
この結果、液晶パネル３における画面全体の平均輝度を向上させることができるというメリットを有するものとなっている。ここで、従来の平面からなる出射面を有する導光板の場合には、下拡散シート１７と上拡散シート１８との間にプリズムシートを設けることによってこの出射光の直進性を増大させる機能を確保していた。しかし、本実施の形態の光源モジュール１０では、導光板２０に複数の凹凸形状体Ｔを設けることによって、プリズムシートを設けた場合よりも、液晶パネル３における画面全体の平均輝度を向上させることが可能となっている。このため、本実施の形態の光源モジュール１０では、プリズムシートを設けていない。ただし、必ずしもこれに限らず、プリズムシートを設けることは可能である。
【００４０】
ここで、このような出射光の直進性を向上させるためには、図５に示すように、導光板２０の垂直な方向の高さをＨとし、凹凸形状体Ｔ同士のピッチをＷとしたときのアスペク
ト比Ｈ／Ｗは、
０．１＜Ｈ／Ｗ＜０．５
を満たす関係を有していることが好ましい。アスペクト比Ｈ／Ｗを０．１〜０．５の範囲に設定することにより、光の干渉による変動を小さくすることができ、光源モジュール１０の特性変動を抑えることができるためである。
【００４１】
このような効果を持たせるための凹凸形状体Ｔの具体的な形状は、図６（ａ）に示すように、断面半円形となっていることが好ましい。この場合、垂直に立ち上がった垂直光Ａから浅い角度で導光する光Ｃまで、様々な入射角度に対して効率的に光を取り出し、出射面から光を出射させることができる。また、導光板２０の厚さが同じである場合、図６（ａ）に示された形状は、後述するプリズム形状よりも大きな断面積を確保し易い。その結果、導光板２０の出射面２０ｂに出射面に断面半円形の凹凸形状体Ｔが形成された構成では、ＬＥＤ１２からの光の入射面での光結合効率が高く、光漏れが起き難い。このような形状は、導光板２０を押し出し成形することにより形成することができる。
【００４２】
ここで、凹凸形状体Ｔの構造は、必ずしも、図６（ａ）に示す断面半円形でなく、図６（ｂ）（ｃ）（ｄ）に示す形状とすることも可能である。
【００４３】
図６（ｂ）に示す凹凸形状体Ｔは、導光板２０の出射面２０ｂに頂角９０°のプリズムが形成されたものからなっている。この場合、垂直光Ａは、全反射条件を崩さず戻り光となってしまう。また、浅い角度で導光する光Ｃについては、全反射条件が崩れ一旦出射面から出射する。しかし、再度、隣のプリズムに入射してしまい導光板２０内に戻ってしまう。
【００４４】
図６（ｃ）に示す凹凸形状体Ｔは、導光板２０の出射面に頂角５°のプリズムが形成されたものからなっている。この場合、垂直光Ａ及び浅い角度で導光する光Ｃは、いずれも全反射条件が崩れ出射面から出射される。しかし、これらの光が隣のプリズムに再入射する確率が増加する。
【００４５】
したがって、図６（ｂ）（ｃ）のように、導光板２０の出射面２０ｂにプリズムが形成された場合、導光板２０内に光を閉じ込めるために導光板２０から光を出射させる効率が低下してしまう場合がある。
【００４６】
また、図６（ｄ）に示す凹凸形状体Ｔは、導光板２０の出射面２０ｂに対し窪んだ凹シリンダ面を有する構造となっている。この場合、垂直光Ａが全反射により戻り光になることがない。このため、図６（ｄ）に示す凹凸形状体Ｔは、図６（ｂ）（ｃ）に示された構成と比較して、効率的に導光板２０から光を出射させることが可能である。
【００４７】
（輝度分布の不均一化対策）
上述した複数の筋状の凹凸形状体Ｔ…を有する出射面２０ｂを備えた導光板２０を用いた光源モジュール１０においては、出射光における直進性が向上する、液晶表示パネル２における画面全体の平均輝度を向上させることができるというメリットがある。しかしながら、逆に、複数の筋状の凹凸形状体Ｔ…を有する出射面２０ｂを備えた導光板２０を用いたことによる輝度分布の不均一化が発生するという新たな課題が発生する。この点について、詳述する。
【００４８】
表１は、凹凸形状体Ｔ…を有する導光板２０（凹凸形状導光板）を用いた液晶表示装置１（実施例１）について画面平均輝度を測定し評価した結果を示す。なお、表１では、比較例として、平板型導光板を用いた液晶表示装置について、光学シートが下拡散シート１７、プリズムシート及び上拡散シート１８からなる構成（比較例１：３枚構成）、並びに
光学シートが下拡散シート１７及び上拡散シート１８からなる構成（比較例２：２枚構成）の画面平均輝度を測定している。また、画面平均輝度の測定条件を表２に示している。また、評価に用いた導光板２０の凹凸形状体Ｔ…について、中心間距離（ピッチＷ）は、３００μｍであり、高さＨは６０μｍである。
【００４９】
【表１】
0005851312.tif 000002
【００５０】
表１に示されるように、平板型導光板を用いた液晶表示装置について、光学シートが２枚構成であるとき（比較例２）、３枚構成（比較例１）と比較して画面平均輝度が低下していることがわかる。一方、液晶表示装置１では、光学シートを２枚構成（下拡散シート１７及び上拡散シート１８からなる構成：実施例１）としても画面平均輝度が低下せず、むしろ４％向上することがわかる。このように、凹凸形状体Ｔ…を有する出射面２０ｂを備えた導光板２０を用いることによって、液晶表示装置の画面平均輝度を向上させることができる。また、プリズムシートを必要としないので、装置の薄型化を実現できるとともに、部品点数を少なくしコストを低減することができる。
【００５１】
ここで、プリズムシートと導光板２０に設けられた凹凸形状体Ｔ…との作用の違いについて、図７（ａ）及び（ｂ）を参照して、以下に説明する。図７（ａ）は、プリズムシートの一種であるレンズシートと、平板型導光板２０’とを備えた光源モジュールにおける光の散乱を模式的に示した模式図である。また、図７（ｂ）は、複数の筋状の凹凸形状体Ｔ…を有する導光板２０内部での光の散乱を模式的に示した模式図である。
【００５２】
図７（ａ）及び（ｂ）に示されるように、凹凸形状体Ｔ…とレンズシートとについて、形状は類似しているが、その作用は全く異なる。また、凹凸形状体Ｔは、導光板２０を押し出し成形することにより形成されるため、凸形状のピッチがレンズシートよりも大きくなる。レンズシートの凸形状のピッチは、１００μｍ程度であり、５０μｍにまで小さくすることができる。一方、凹凸形状体Ｔの凸形状のピッチは、３００μｍ程度である。
【００５３】
図７（ａ）に示された構成は、表１に示される「現状構成」（比較例１）に相当する。プリズムシートの一種であるレンズシートを備えた光源モジュールでは、導光板２０’の出射面２０’ｂとレンズシートとは離間している。すなわち、出射面２０’ｂとレンズシートとの間には空気が介在する。この構成では、光路変換部１６から散乱した散乱光は、導光板２０’の出射面２０ｂから出射する。このとき、出射面２０ｂが平面になっているため、散乱光は、出射面２０’ｂから全方位で拡散して出射する（Ｚ方向から見て散乱光の輝度分布が円状である）。レンズシートは、出射面２０’ｂと離間して（空気を介して）配置されているため、出射面２０’ｂからの出射光は、全方位で拡散した状態でレンズシートに入射し、該レンズシートにて集光しＺ方向に指向する光の成分を増やした状態で光源モジュールから出射する。
【００５４】
また、図７（ｂ）に示された構成は、凹凸形状体Ｔ…は、導光板２０と一体的に形成されているので、図７（ａ）の構成のような導光板２０’とレンズシートとの間での光拡散作用がない。それゆえ、光路変換部１６から散乱した散乱光は、出射面２０ｂに形成された凸形状体Ｔ…の作用によって、導光方向に垂直な方向（Ｘ方向）への拡がりが抑えられ
た状態で出射面２０ｂから出射する。すなわち、出射面２０ｂから出射した光は、導光方向への直進性が高まる。また、導光方向に垂直な方向（Ｘ方向）への拡がりが抑えられることから、各曲面形状（凹凸形状体Ｔ）の中に光が閉じ込められる光閉じ込め効果が発生する。さらに、出射面２０ｂに形成する凹凸形状体ＴよりＺ方向に指向性が高まるように集光されることにより、Ｚ方向へ指向する光の成分が多くなる。
【００５５】
このように、凹凸形状体Ｔ…を有する出射面２０ｂを備えた導光板２０を用いることによって、プリズムシートの一種であるレンズシートを設けることをせずに導光板からの出射光のＺ方向成分を多くすることが可能である。このため、液晶表示装置の画面平均輝度をレンズシートを用いることをせずに向上させることができる。
【００５６】
その一方で、凹凸形状体Ｔ…を有する出射面２０ｂを備えた導光板２０を用いることによって、出射光は、導光方向に垂直な方向（Ｘ方向）への拡がりが抑えられ、また、出射光は凹凸構造による集光効果によりＺ方向への光線立ち上げがなされる。すなわち、平板型導光板を用いた構成のように、出射光は、導光板の出射面から全方位で拡散して出射しないので、輝度分布の不均一化（輝度ムラ）が発生するという新たな課題が発生する。そして、この輝度ムラに伴ってモアレが発生する。このような課題は、平板導光板を用い、かつプリズムシートの一種であるレンズシートを備えた光源モジュールでは発生しない。
【００５７】
本発明者らは、上記輝度ムラに関する課題について検討した結果、上記輝度ムラは、導光板２０の下面２０ｃに形成された光路変換部１６（散乱体）のドットピッチを制御することによって、改善することを見出した。表２は、光路変換部１６（散乱体）のドットピッチと輝度ムラとの関係を示す表である。なお、表２では、ドットムラ、及び輝度ムラに起因するモアレを評価している。また、表２において、ドットピッチＰｙは、導光方向（Ｙ方向）における光路変換部１６（散乱体）の中心間距離（ピッチ）を示し、ドットピッチＰｘ’は、導光方向に垂直な方向（Ｘ方向）における光路変換部１６（散乱体）の中心間距離（ピッチ）を示す（図１参照）。ここでは、比較的量産性が高い円形ドットによる取り出しパターンを例として図を参照している。実際の光路変換部１６の光取り出し形状は円形に限られるものではなく、楕円形状（図１０参照）、矩形形状（図１１参照）等の各種形状を取ることが可能である。
【００５８】
【表２】
0005851312.tif 000003
【００５９】
表２では、同形状の円形ドット（ドット径ｒ＝０．２ｍｍ）の取出しパターンで条件（ｉ）、条件（ｉｉ）、条件（ｉｉｉ）の順番でドットピッチＰｘ’及びドットピッチＰｙの両方を小さくして、光路変換部を微細化し、ドット端面間距離ｄｘ’を小さくしている。ドットピッチＰｘ’及びドットピッチＰｙを小さくすることによって、モアレ、さらには輝度ムラを改善することができることがわかる（条件（ｉｉｉ））。
【００６０】
（光源モジュール１０の特徴的構成）
光路変換部１６のピッチを小さくし輝度ムラを改善するに際し、光路変換部のピッチを凹凸形状体のピッチよりも小さくするだけでは、光路変換部の占有率は高くなることとな
り、輝度分布を最適化するためには、光路変換部の占有率を適切にする必要がある。この理由について、以下に説明する。
【００６１】
まず、光源モジュールにおいては、導光板２０の光入射側の端面２０ａからその反対側の端面へ向かう（導光方向へ向かう）に従い、導光する光の光量が少なくなる。それゆえ、導光板２０の出射面２０ｂにおける輝度分布を均一化するためには、出射面２０ｂでの光取り出しに必要な光路変換部１６（散乱体）の占有率も調整する必要がある。光路変換部１６の占有率は、高くなるに従い、出射面２０ｂでの光取り出し効率が多くなる傾向にある。それゆえ、光源モジュール１０では、光路変換部１６（散乱体）の占有率を、導光板２０の光入射側の端面２０ａからその反対側の端面へ向かうに従い高くする必要がある。
【００６２】
特許文献１の技術のように、光路変換部１６のピッチを凹凸形状体Ｔのピッチよりも小さくした場合、凹凸形状体Ｔのピッチによっては、入射側の端面１２ａ近傍における光路変換部１６（散乱体）の占有率が高くなってしまい、入射側の端面２０ａからその反対側の端面へ向かう（導光方向へ向かう）に従い高くなるように光路変換部１６の密度を制御することが困難になるおそれがある。導光板２０の出射面２０ｂにおける輝度ムラを低減するためには、凹凸形状体Ｔのピッチ及び光路変換部１６のピッチの設定だけではなく、単位面積当たりの光路変換部１６（拡散ドット）の占有率を考慮する必要がある。
【００６３】
本発明者は、光路変換部１６の設定について、鋭意検討した結果、凹凸形状体Ｔのピッチ及び光路変換部１６のピッチに加え、光路変換部１６の端部間の間隔を設定することによって、有意に導光板２０の出射面２０ｂにおける輝度ムラを低減し得ることを見出した。ここで、光源モジュール１０の特徴的構成である光路変換部１６の配置について、図１及び図５を参照して説明する。図１は、光源モジュール１０における光路変換部１６の配置の実施の一形態を示す模式図である。ここではドット形状を円形とした場合について説明を行うが、図１０、図１１に示すような楕円形状または矩形形状の場合についても同様に本発明の効果を得ることが可能である。
【００６４】
図１に示されるように、光源モジュール１０において、光路変換部１６は、導光方向（Ｙ方向；第１の方向）に沿った複数の列１６Ｙ（第１の列）を成して配列している。また、複数の凹凸形状体Ｔは、複数の列１６Ｙが伸びる方向、すなわちＹ方向に沿って筋状に形成されている。
【００６５】
ここで、複数の列１６Ｙにおける互いに隣接する列１６Ａ及び列１６Ｂについて考える。列１６Ａ及び列１６Ｂにおいて、光路変換部１６の端部間の（Ｙ方向及びＺ方向の両方に垂直な）Ｘ方向における距離を「ドット間の間隔ｄｘ’」とする。また、光路変換部１６の中心間のＸ方向における距離を「ドットピッチＰｘ’」とする。また、光路変換部１６の端部間のＹ方向における距離を「ドット間の間隔ｄｙ’」とする。また、光路変換部１６の中心間のＹ方向における距離を「ドットピッチＰｙ’」とする。
【００６６】
また、Ｘ方向に互いに対向する光路変換部１６における中心間の距離を「ドットピッチＰｘ」とする。また、Ｘ方向に互いに対向する光路変換部１６における端部間の距離を「ドット間の間隔ｄｘ」とする。また、Ｙ方向に互いに対向する光路変換部１６における中心間の距離を「ドットピッチＰｙ」とする。また、Ｙ方向に互いに対向する光路変換部１６における端部間の距離を「ドット間の間隔ｄｙ」とする。また、凹凸形状体Ｔの中心間の距離を「ピッチＷ」とする。
【００６７】
図１及び図５に示されるように、光源モジュール１０において、「ドット間の間隔ｄｘ’」は、凹凸形状体ＴのピッチＷよりも小さくなっている。また、「ドットピッチＰｘ’
」は、凹凸形状体ＴのピッチＷよりも大きくなっている。このように、ドット間の間隔ｄｘ’、ドットピッチＰｘ’、及び凹凸形状体ＴのピッチＷを設定することによって、図５に示されるように、筋状の凹凸形状体Ｔ１つに対して、複数の列１６Ｙのうち１つの列が対応することになる。その結果、光源モジュール１０の構成によれば、導光板２０の出射面２０ｂにおける輝度ムラを低減することが可能になる。
【００６８】
光源モジュール１０の作用効果について、図８（ａ）及び（ｂ）を参照して、以下に詳述する。図８（ａ）は、光路変換部１６における「ドット間の間隔ｄｘ’」が凹凸形状体ＴのピッチＷよりも大きい場合の、出射光の輝度分布を模式的に示した模式図であり、図８（ｂ）は、光路変換部１６における「ドット間の間隔ｄｘ’」が凹凸形状体ＴのピッチＷよりも小さい場合の、出射光の輝度分布を模式的に示した模式図である。
【００６９】
まず、導光板２０の出射面２０ｂに形成された凹凸形状体Ｔの集光効果によって、導光板２０からの出射光は、凹凸形状体Ｔに対し垂直な方向（Ｘ方向）で輝度の強弱が付きやすい状態になっている。図８（ａ）に示されるように、光路変換部１６における「ドット間の間隔ｄｘ’」が凹凸形状体ＴのピッチＷよりも大きい場合、凹凸形状体Ｔと背向する下面２０ｃの各領域（凹凸形状体ＴのＺ方向直下の下面２０ｃの各領域）に光路変換部１６が形成されていない状態になる。すなわち、凹凸形状体Ｔの直下に光路変換部１６の少なくとも一部が存在しない部分がある。このため、その直下に光路変換部１６が形成されていない凹凸形状体Ｔにおいては、出射光の強度が極端に弱くなり、その直下に光路変換部１６が形成された凹凸形状体Ｔからの出射光と比較して、明暗の輝度ムラがはっきりと表れる。また、光路変換部１６は、等ピッチ（ドットピッチＰｘ’）で周期的に配置されるため、明暗の輝度ムラも周期的に発生することになる。このように、光路変換部１６における「ドット間の間隔ｄｘ’」が凹凸形状体ＴのピッチＷよりも大きい場合、凹凸形状体Ｔの形状に起因して、凹凸形状体Ｔ間において出射光の強度分布がはっきりとした明暗の輝度ムラが発生する。
【００７０】
一方、図８（ｂ）に示されるように、光路変換部１６における「ドット間の間隔ｄｘ’」が凹凸形状体ＴのピッチＷよりも小さい（光源モジュール１０の構成）場合、凹凸形状体Ｔと背向する下面２０ｃの各領域（凹凸形状体ＴのＺ方向直下の下面２０ｃの各領域）に必ず光路変換部１６が形成される状態になる。すなわち、凹凸形状体Ｔの直下に光路変換部１６の列の少なくとも一部が存在することとなる。それゆえ、凹凸形状体Ｔ間において出射光の強度分布を均一化することができ、凹凸形状体Ｔの形状に起因する輝度ムラを低減することができる。
【００７１】
光路変換部１６の形状が円形状の拡散ドットである場合、光路変換部１６は、等ピッチ（ドットピッチＰｘ’）で周期的に形成されることになる。それゆえ、「ドット間の間隔ｄｘ’」は、ドット半径ｒを制御することによって、凹凸形状体ＴのピッチＷよりも小さくすることが可能である。表４は、本実施形態の光源モジュール１０について、ドット半径ｒ及びドットピッチＰｘ’を変えて、様々な「ドット間の間隔ｄｘ’」としたときの、導光板の出射面における輝度ムラに起因するモアレを評価した結果を示す。なお、表４の評価では、凹凸形状体ＴのピッチＷを０．３ｍｍとしている。表４に示されるように、「ドット間の間隔ｄｘ’」は、Ｐｘ’−２ｒと表すことができる。
【００７２】
【表３】
0005851312.tif 000004
【００７３】
表３の評価はいずれも、ドットピッチＰｘ’を凹凸形状体ＴのピッチＷよりも大きくしている。まず、表４の結果から、ドットピッチＰｘ’を１．００ｍとした場合、「ドット間の間隔ｄｘ’」が０．２ｍｍであり凹凸形状体ＴのピッチＷよりも小さいとき、モアレが発生しないことがわかる。一方、「ドット間の間隔ｄｘ’」が０．６ｍｍであり凹凸形状体ＴのピッチＷよりも大きいとき、モアレが発生することがわかる。この結果から、「ドット間の間隔ｄｘ’」が凹凸形状体ＴのピッチＷよりも小さくすることによって、有意にモアレ（輝度ムラ）を低減することができることがわかる。この結果は、ドットピッチＰｘ’を変更したときでもあらわれる。
【００７４】
以上のことから、本実施形態の光源モジュール１０の構成によれば、凹凸形状体Ｔ間において出射光の強度分布を均一化することができ、凹凸形状体Ｔの形状に起因する輝度ムラを低減することができる。なお、図１に示される光路変換部１６の配置は、換言すれば、以下のように表現することができる。
【００７５】
すなわち、図１に示されるような、互いに隣接する列１６’Ａ及び列１６’Ｂについて考える。まず、図１に示されるように、列１６’Ａに属する各光路変換部１６における列１６’Ｂ側の端部を結ぶ線を仮想線Ａ１とする。また、列１６’Ｂに属する各光路変換部１６における列１６’Ａ側の端部を結ぶ線を仮想線Ｂ１とする。光路変換部１６の配置は、上記仮想線Ａ１と上記仮想線Ｂ１との間のＸ方向の距離が凹凸形状体ＴのピッチＷよりも小さくなった配置であるといえる。
【００７６】
また、光路変換部１６の配置は、隣接する列１６Ａ及び列１６Ｂにおいて、光路変換部１６の端部間のＸ方向における距離（すなわち、「ドット間の間隔ｄｘ’」）が、Ｙ方向に互いに対向する光路変換部１６における端部間の距離（すなわち、「ドット間の間隔ｄｙ」）よりも小さい配置であることが好ましい。特に、光路変換部１６が円形状の拡散ドットである場合、光路変換部１６の配置は、隣接する列１６Ａ及び列１６Ｂにおいて、光路変換部１６の中心間のＸ方向における距離（すなわち、「ドットピッチＰｘ’」）が、Ｙ方向に互いに対向する光路変換部１６における中心間の距離（すなわち、「ドットピッチＰｙ」）よりも小さい配置であることが好ましい。
【００７７】
図９は、「ドットピッチＰｘ’」＝「ドットピッチＰｙ」である場合の、光路変換部１６の配置を示す上面図である。光路変換部（拡散ドット）は、拡散材を含有したインクの印刷により形成されるので、印刷可能なドット半径ｒおよびドットどうしの間隔に下限がある。一般的に、印刷により光路変換部（拡散ドット）を形成した場合のドット半径ｒの下限値は、約０．１ｍｍ程度である。一般に、導光板の各領域における光取り出し効率は設計上の要求値として決められており、光取り出し効率は光路変換部の占有率とほぼ正の相関があるため、光路変換部の占有率は設計上の要求値であるといえる。すなわち、導光
板の各位置の輝度値を設計値と等しくするために、導光板の各位置の光路変換部の占有率は設計段階から決められている。従って、モアレの発生を防止するためには、導光板の各位置の光路変換部の占有率を設定値としつつ、「ドット間の間隔ｄｘ’」の値を小さくする必要がある。そのための第１の方法として、ドットパターンの微細化が挙げられる。すなわち、ドット半径ｒを小さくしつつ、ドットの数を増やすことにより、光路変換部の占有率を保ちながら「ドット間の間隔ｄｘ’」と「ドット間の間隔ｄｙ」とを同時に小さくすることができる。しかし、この場合は上記で説明したように、ドット半径ｒに下限値があるため実現が困難である。そこで、第２の方法として、「ドットピッチＰｘ’」＜「ドットピッチＰｙ」となるように、Ｐｘ’がＰｙに対して小さくなる条件であれば、占有率の制御を行う上では望ましい。すなわち、ドット半径ｒと光路変換部の占有率が一定であっても、上記のようにすることにより「ドットピッチＰｘ’」を小さくすることができるため、輝度ムラの発生を軽減することができる。
【００７８】
また、光路変換部１６の配置は、図１に示されるように、隣接する列１６Ａ及び列１６Ｂにおいて、一方の列１６Ａに属する光路変換部１６からＸ方向へ向かう他方の列１６Ｂの位置に、光路変換部１６が存在しない配置であることが好ましい。換言すれば、隣接する列１６’Ａ及び列１６’Ｂにおいて、一方の列１６Ａに属する光路変換部１６からＸ方向へ向かう仮想線Ｃ１を引いたとき、該仮想線Ｃ１と他方の列１６Ｂとが交差する箇所に光路変換部１６が存在しない配置である。
【００７９】
このような配置とすることによって、上記ｄｘ’を小さくした場合に光路変換部同士がＸ方向に接触することを防止することができるため、光路変換部１６の端部間のＸ方向における距離（すなわち、「ドット間の間隔ｄｘ’」）がより小さくなるように調整することができる。それゆえ、ドット間の間隔ｄｘ’の調整範囲を広くすることができる。
【００８０】
なお、隣接する列１６Ａ及び列１６Ｂにおいて、一方の列１６Ａに属する光路変換部１６からＸ方向へ向かう他方の列１６Ｂの位置に光路変換部１６が存在する場合、「ドット間の間隔ｄｘ’」の下限は、印刷可能なドット半径ｒの下限値に依存する。すなわち、「ドット間の間隔ｄｘ’」は、印刷可能なドット半径ｒの下限値にて光路変換部同士が接触しない距離が下限値となる。
【００８１】
また、光路変換部１６は、図１に示されるように、Ｙ方向に沿った複数の列１６Ｙを成して配列するとともに、Ｘ方向に沿った複数の列１６Ｘを成して配列することが好ましい。この構成によれば、光路変換部１６は、互いに垂直な列１６Ｙ及び列１６Ｘに属することになる。それゆえ、光路変換部１６の単位面積当たりの占有率をより広い範囲で調整することができるとともに、拡散材を含有したインクの印刷が容易になる。特に好ましくは、光路変換部１６の配置は、千鳥配置で設けられている。ここでいう「千鳥配置」とは、以下の構成を意味する。
【００８２】
すなわち、図１に示されるように、隣接する列１６Ａ及び１６Ｂにおいて、光路変換部１６は、Ｙ方向に等ピッチ（ドットピッチＰｙ）で形成されており、一方の列１６Ａ上における２つの隣接する光路変換部１６（第１の光路変換部とする）間の任意の点ＭからＸ方向へ仮想線Ｄ１を引いたとき、他方の列Ｂと仮想線Ｄ１とが交差する位置に光路変換部１６’（第２の光路変換部）が存在する構成である。また、「千鳥配置」構成において、列１６Ｂは、この光路変換部１６’のみで構成され、該光路変換部１６’がＹ方向に周期的に配置されている。
【００８３】
このように、光路変換部１６が千鳥配置で設けられているので、光路変換部１６は、Ｘ方向及びＹ方向で周期的な配置になる。それゆえ、光路変換部１６の単位面積当たりの占有率をより広い範囲で調整しつつ、拡散材を含有したインクの印刷がさらに容易になる。
【００８４】
拡散材を含有したインクの印刷が容易になるという観点では、一方の列１６Ａ上における２つの隣接する光路変換部１６間の点Ｍは、２つの隣接する光路変換部１６間の中点であることが好ましい。このような場合、「千鳥配置」は、「網目状配置」や「チェス盤配置」と表現することができる。
【００８５】
また、特に光路変換部１６が千鳥配置で設けられている構成において、「ドット間の間隔ｄｘ’」は、隣接する列１６Ｘ（例えば列１６Ｃ及び列１６Ｄ）における光路変換部１６の端部間のＹ方向の距離ｄｙ’よりも小さいことが好ましい。これにより、光路変換部のＸ方向の寸法に依存することなく、「ドット間の間隔ｄｘ’」を調整することができる。
【００８６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００８７】
本発明は、光源からの光を導光板によって面状に出射させるサイドエッジ（サイドライトともいう）型導光板を備えた光源モジュール、およびそれを備えた電子機器に関するものであり、例えば、バックライト等の光源モジュール及び液晶表示装置等の電子機器に適用可能である。
【符号の説明】
【００８８】
１                    液晶表示装置
１０                    光源モジュール
１２                    ＬＥＤ（光源）
１６                    光路変換部
１６Ａ、１６Ｂ、１６Ｙ  列（第１の列）
１６Ｃ、１６Ｄ、１６Ｙ  列（第２の列）
２０                    導光板
２０ａ                  端面
２０ｂ                  出射面
２０ｃ                  下面（面）
Ｔ                      凹凸形状体（凹凸形状）
【図１】
0005851312.tif 000005
【図２】
0005851312.tif 000006
【図３】
0005851312.tif 000007
【図４】
0005851312.tif 000008
【図５】
0005851312.tif 000009
【図６】
0005851312.tif 000010
【図７】
0005851312.tif 000011
【図８】
0005851312.tif 000012
【図９】
0005851312.tif 000013
【図１０】
0005851312.tif 000014
【図１１】
0005851312.tif 000015